(57)【特許請求の範囲】
【請求項１】
車両のドア周縁に対し両面接着テープにより固定される基底部と、当該基底部に一体形成された中空状のシール部とを備え、車両のドア開口周縁とドアとの間をシールするドアウエザストリップにおいて、
前記基底部の幅方向一端部においてソリッド弾性材料よりなるブロック部を設け、
前記ブロック部から連続するとともに、前記ブロック部よりも薄肉のソリッド弾性材料層を少なくとも幅方向他端部側における前記シール部と前記基底部との接続部位近傍まで延設し、
前記ソリッド弾性材料層のテープ貼付面側にスポンジ弾性材料層を積層し、当該スポンジ弾性材料層を介して両面接着テープが貼り付けられる構成であるとともに、
該ドアウエザストリップは、ドア閉時において前記シール部が前記幅方向他端部側に傾動した状態で車両のドア開口周縁に弾性的に当接又は圧接するベンディングタイプであり、
前記スポンジ弾性材料層のテープ貼付面側に両面接着テープを収容するテープ収容溝を形成し、
前記テープ収容溝の前記幅方向他端部側の端部、及び、前記両面接着テープの前記幅方向他端部側の端部が、前記シール部のシール壁部と前記基底部との接続部位又はそれより前記幅方向他端部側に位置しているとともに、
前記ソリッド弾性材料層は、少なくとも前記テープ収容溝の前記幅方向他端部側の端部まで延設されていることを特徴とするドアウエザストリップ。
【請求項２】
前記基底部の前記幅方向他端部より幅方向に沿って延出したスポンジ弾性材料よりなる延出部を備えたことを特徴とする請求項１に記載のドアウエザストリップ。
【請求項３】
ドアフレームへの取付状態において、前記ブロック部が、ドアフレームと内装部材との隙間に挿入されることを特徴とする請求項１又は２に記載のドアウエザストリップの取付構造。
【請求項４】
予め前記基底部の前記テープ収容溝に離型紙の付いた前記両面接着テープを貼った上で、前記ドアウエザストリップをドア周縁に位置決めし、前記ブロック部の形成された方向へ前記離型紙を引っ張って剥がしていくことで、前記ドアウエザストリップをドア周縁に固定することを特徴とする請求項１又は２に記載のドアウエザストリップの取付方法。
【発明の詳細な説明】
【技術分野】
【０００１】
本発明は、車両のドアに取付けられるドアウエザストリップ、特に両面接着テープによりドアに固定されるドアウエザストリップ、その取付構造、及び、その取付方法に関するものである。
【背景技術】
【０００２】
従来、自動車等の車両のドア周縁にはドアウエザストリップが取付けられている。ドアウエザストリップは、例えばＥＰＤＭ（エチレン−プロピレン−ジエン共重合）ゴム等のスポンジゴム材料によって形成され、ドア周縁に固定される基底部と、当該基底部に一体形成された中空状のシール部とを備えている。そして、ドア閉時には、シール部がボディのドア開口周縁に当接又は圧接し、ボディとドアとの間がシールされる。
【０００３】
ドアウエザストリップの中には両面接着テープによりドア周縁に固定されるものがある（例えば、特許文献１参照。）。このようなドアウエザストリップの取付作業では、予め基底部に両面接着テープを貼った上で、ドアウエザストリップをドア周縁に位置決めする。そして、専用の位置決め治具を用いて基底部を押えつつ、両面接着テープの離型紙を幅方向（例えば車内側方向）へ引っ張って剥がしていくことで、ドアウエザストリップがドア周縁に取付けられる。
【特許文献１】特開２００１−１６３０６２号公報
【発明の開示】
【発明が解決しようとする課題】
【０００４】
ところが、上記従来技術のドアウエザストリップでは、基底部がスポンジゴム材料により形成されているため、両面接着テープの離型紙を剥がす際に幅方向へかかる力に対する抗力が弱く、ドアウエザストリップが幅方向へ波打って固定されてしまうおそれがある。
【０００５】
一方、スポンジゴム材料よりなるドアウエザストリップの取付時における長手方向への伸張を防止する対策として、特開昭５９−４０９３７号公報に記載されたドアウエザストリップのように、ソリッドゴム材料よりなるソリッドゴム部を例えば基底部の一部に長手方向に沿って埋設等しているものもあるが、このような構成においてもソリッドゴム部が基底部の一部にしか埋設等されていないため、上記同様にドアウエザストリップの幅方向への波打ちといった不具合が起こり得る。
【０００６】
これに対し、特開平１−２２９７１８号公報に記載されたドアウエザストリップのように、基底部全体をソリッドゴム材料により形成したものでは幅方向への波打ちは発生しにくい。但し、ドアウエザストリップは、ドア周縁コーナー部等の湾曲形状に追従させて取付ける必要がある。そのため、基底部全体をソリッドゴム材料により形成し剛性を高めてしまうと、追従性が悪くなるといった不具合が生じる。ひいてはシール性が低下するおそれがある。
【０００７】
本発明は上記問題点を解決するためになされたものであって、その目的は、取付時における幅方向への波打ち抑制、ひいてはシール性の低下抑制を図ることのできるドアウエザストリップ、その取付構造、及び、その取付方法を提供することにある。
【課題を解決するための手段】
【０００８】
以下、上記課題等を解決するのに適した各手段につき項分けして説明する。なお、必要に応じて対応する手段に特有の作用効果等を付記する。
【０００９】
手段１．車両のドア周縁に対し両面接着テープにより固定される基底部と、当該基底部に一体形成された中空状のシール部とを備え、車両のドア開口周縁とドアとの間をシールするドアウエザストリップにおいて、
前記基底部の幅方向一端部においてソリッド弾性材料よりなるブロック部を設け、
前記ブロック部から連続するとともに、前記ブロック部よりも薄肉のソリッド弾性材料層を少なくとも幅方向他端部側における前記シール部と前記基底部との接続部位近傍まで延設し、
前記ソリッド弾性材料層のテープ貼付面側にスポンジ弾性材料層を積層し、当該スポンジ弾性材料層を介して両面接着テープが貼り付けられる構成であるとともに、
該ドアウエザストリップは、ドア閉時において前記シール部が前記幅方向他端部側に傾動した状態で車両のドア開口周縁に弾性的に当接又は圧接するベンディングタイプであり、
前記スポンジ弾性材料層のテープ貼付面側に両面接着テープを収容するテープ収容溝を形成し、
前記テープ収容溝の前記幅方向他端部側の端部、及び、前記両面接着テープの前記幅方向他端部側の端部が、前記シール部のシール壁部と前記基底部との接続部位又はそれより前記幅方向他端部側に位置しているとともに、
前記ソリッド弾性材料層は、少なくとも前記テープ収容溝の前記幅方向他端部側の端部まで延設されていることを特徴とするドアウエザストリップ。
【００１０】
上記手段１によれば、スポンジ弾性材料に比べ剛性の高いソリッド弾性材料よりなるブロック部を基底部の幅方向一端部（例えば車内側端部）に設けることにより、当該ブロック部をドアウエザストリップ取付時における位置決め部として機能させることができる。つまり、ドアウエザストリップ取付時において、専用の位置決め治具を用いて基底部を押えつつ、ブロック部が形成されている側へ両面接着テープの離型紙を剥がすようにすれば、ドアウエザストリップの幅方向への波打ち防止を図ることができる。
【００１１】
さらに、このブロック部からソリッド弾性材料層を少なくとも幅方向他端部側（例えば車外側）におけるシール部と基底部との接続部位近傍まで延設することにより、基底部幅方向に対する剛性を高めている。これにより、ドアウエザストリップ取付時において両面接着テープの離型紙を剥がす際に幅方向へかかる力に対する抗力を強め、さらなる波打ち防止を図ることができる。
【００１２】
加えて、ソリッド弾性材料層のテープ貼付面側にスポンジ弾性材料層を積層し、これを介して両面接着テープを貼り付けている。これにより、ソリッド弾性材料層に直接、両面接着テープを貼り付ける場合に比べ、両面接着テープの貼着性を向上することができる。
【００１３】
また、ブロック部及びソリッド弾性材料層を設けることにより、ドアウエザストリップの取付時における長手方向への伸張を抑制することができる。一方、基底部全体をソリッド弾性材料により形成した場合に比べて可撓性を高めることができ、ドアウエザストリップ取付時においてドア周縁コーナー部等の湾曲形状に追従させる追従性を向上させることができる。
【００１４】
上記各種構成を採用した結果としてシール性の低下が抑制される。なお、ドア閉時にシール部と基底部との接続部位に負荷がかかることを考慮すると、より剛性の高いソリッド弾性材料層を「少なくとも幅方向他端部側における前記シール部のシール壁部と前記基底部との接続部位又はそれを越える位置まで延設」する。但し、仮に基底部の幅方向他端部まで延設した場合には、ドア周縁コーナー部等におけるドアウエザストリップの追従性が低下し、シール性が悪化するおそれがあるため、ソリッド弾性材料層を基底部の幅方向他端部まで延設しないことが好ましい。
【００１５】
また、テープ収容溝を設けることにより、ドアウエザストリップに対する両面接着テープの貼付作業時において貼付位置を特定することが容易となり、作業性の向上を図ることができる。
【００１６】
また、手段１によれば、前記幅方向他端部側、すなわち上記ブロック部が設けられた側とは反対側のシール部のシール壁部と基底部との接続部位又はそれより前記幅方向他端部側の位置において、両面接着テープにより基底部を固定することができる。従って、手段１のベンディングタイプのように、ドア閉時に前記幅方向他端部側のシール部と基底部との接続部位に対し、前記幅方向一端部側の接続部より大きな負荷がかかる構成においても、当該負荷に起因するズレ応力に抗して、ドアウエザストリップの位置ズレをより確実に防止することができる。
【００１７】
また、前記ソリッド弾性材料層が、少なくとも前記テープ収容溝の前記幅方向他端部側の端部まで延設されているので、上記作用効果をより確実なものとすることができる。
【００１８】
手段２．前記基底部の前記幅方向他端部より幅方向に沿って延出したスポンジ弾性材料よりなる延出部を備えたことを特徴とする手段１に記載のドアウエザストリップ。
【００１９】
上記手段２によれば、ドアウエザストリップ取付時に専用の位置決め治具を用いて基底部を押え得る範囲が広がるため、作業性の向上を図ることができる。さらには、スポンジ弾性材料よりなる延出部は、ドア周縁に当接した際、ドア周縁の形状に合わせて変形しやすいため、基底部とドア周縁との間に隙間を生じにくくさせ、走行時の風切り音の発生等を防止することができる。
【００２０】
手段３．ドアフレームへの取付状態において、前記ブロック部が、ドアフレームと内装部材との隙間に挿入されることを特徴とする手段１又は２に記載のドアウエザストリップの取付構造。
【００２１】
手段４．予め前記基底部の前記テープ収容溝に離型紙の付いた前記両面接着テープを貼った上で、前記ドアウエザストリップをドア周縁に位置決めし、前記ブロック部の形成された方向へ前記離型紙を引っ張って剥がしていくことで、前記ドアウエザストリップをドア周縁に固定することを特徴とする手段１又は２に記載のドアウエザストリップの取付方法。
【発明を実施するための最良の形態】
【００２２】
以下に、車両としての自動車のドア周縁に取付けられるドアウエザストリップの一実施形態について図面を参照して説明する。
【００２３】
図１に示すように、自動車１のドア開口２にはドア３が開閉可能に設けられ、ドア３周縁にはドアウエザストリップ５が装着されている。
【００２４】
図２に示すように、ドアウエザストリップ５はドア３周縁に沿うようにして弾性材料（ゴム材料）としてのＥＰＤＭ（エチレン−プロピレン−ジエン共重合）ゴムにより、環状に構成されている。
【００２５】
ドアウエザストリップ５は、押出成形部７，８と型成形部（同図散点模様を付した部分）９，１０とを備えている。押出成形部７，８は、図示しない押出成形機によりほぼ直線状に（長尺状に）形成される。また、型成形部９，１０は、隣接する押出成形部７，８の端縁を連結するようにして所定の金型装置によって形成されている。
【００２６】
図１のＪ−Ｊ線断面図である図３に示すように、ドアウエザストリップ５（押出成形部７）は、ドア３周縁のドアフレーム６に固定される基底部１１と、当該基底部１１に一体形成され、内部に中空部１２を有してなるシール部１３とを備えている。シール部１３はスポンジゴムにより形成されている。なお、図示は省略するが、押出成形部８、型成形部９，１０についても、押出成形部７とほぼ同様の断面形状となっている。そして、図４に示すように、ドア３の閉時においては、シール部１３がドア開口２の周縁部２ａに対し弾性的に当接又は圧接し、ドア開口２の周縁部２ａとドア３との間がシールされる。なお、図４を見ても分かるとおり、押出成形部７のシール形態は、ドア３閉時においてシール部１３が車外側（図４の右側）へ傾動した状態でドア開口２の周縁部２ａに弾性的に当接又は圧接するベンディングタイプとなっている。
【００２７】
なお、ドアウエザストリップ５は、特にドア３上辺部に対応する部位においては、基底部１１に貼られた両面接着テープ２０によりドアフレーム６に固定されるものであり、本実施形態ではそのための構成に特徴を有している。ここで、その特徴部分を詳細に説明する。
【００２８】
図３に示すように、基底部１１の車内側（図３の左側）端部においてソリッドゴム（ソリッド弾性材料）よりなるブロック部１５を備えている。このブロック部１５は、ドアフレーム６への取付状態において、当該ドアフレーム６とガーニッシュ等の内装部材１４との隙間に挿入された状態となる。
【００２９】
また、基底部１１にはソリッドゴム層（ソリッド弾性材料層）１６が設けられている。ソリッドゴム層１６は、ブロック部１５から、シール部１３のシール壁部１３ａと基底部１１との車外側の接続部位Ｐ１より車外側の位置Ｐ２までの範囲に連続して形成されている。さらに、このソリッドゴム層１６のテープ貼付面側にはスポンジゴム層（スポンジ弾性材料層）１７が積層されている。
【００３０】
スポンジゴム層１７のテープ貼付面側には両面接着テープ２０を収容するテープ収容溝２１が形成されており、このテープ収容溝２１内に両面接着テープ２０が貼り付けられる。テープ収容溝２１は、ブロック部１５から、シール壁部１３ａと基底部１１との車外側の接続部位Ｐ１より車外側の位置Ｐ３までの範囲に形成されている。そして、本実施形態では、ソリッドゴム層１６の車外側端部の位置Ｐ２と幅方向略同一位置に、両面接着テープ２０の車外側端部が位置している。
【００３１】
また、基底部１１の車外側端部には、当該端部より車外側へ延出したスポンジゴムよりなる延出部２７が形成されている。
【００３２】
次に、上記のように構成されたドアウエザストリップ５の取付方法について説明する。予め基底部１１のテープ収容溝２１に両面接着テープ２０を貼った上で、まずドアウエザストリップ５をドア３周縁に位置決めする。そして、専用の位置決め治具を用いて例えばブロック部１５やソリッドゴム層１６を押えつつ、ブロック部１５の形成された車内側方向へ両面接着テープ２０の離型紙を引っ張って剥がしていくことで、ドアウエザストリップ５がドア３周縁に固定される。
【００３３】
以上詳述したように、スポンジゴムに比べ剛性の高いソリッドゴムよりなるブロック部１５を基底部１１の幅方向一端部（本実施形態では車内側端部）に設けることにより、当該ブロック部１５をドアウエザストリップ５の取付時における位置決め部として機能させることができる。つまり、ドアウエザストリップ５の取付時において、ブロック部１５が形成されている側（車内側）へ両面接着テープ２０の離型紙を剥がすようにすれば、ドアウエザストリップ５の幅方向への波打ち防止を図ることができる。
【００３４】
さらに、ソリッドゴム層１６を、ブロック部１５から、シール部１３のシール壁部１３ａと基底部１１との車外側の接続部位Ｐ１より車外側の位置Ｐ２までの範囲に連続して形成することにより、基底部１１の幅方向に対する剛性を高めることができる。これにより、ドアウエザストリップ５の取付時において両面接着テープ２０の離型紙を剥がす際に幅方向へかかる力に対する抗力を強め、さらなる波打ち防止を図ることができる。
【００３５】
加えて、このソリッドゴム層１６のテープ貼付面側にスポンジゴム層１７を積層し、これを介して両面接着テープ２０を貼り付けている。これにより、ソリッドゴム層１７に直接、両面接着テープ２０を貼り付ける場合に比べ、両面接着テープ２０の貼着性を向上することができる。
【００３６】
また、ブロック部１５及びソリッドゴム層１６を設けることにより、ドアウエザストリップ５の取付時における長手方向への伸張を抑制することができる。一方、基底部１１全体をソリッドゴムにより形成した場合に比べて可撓性を高めることができ、ドアウエザストリップ５の取付時においてドア３周縁コーナー部等の湾曲形状に追従させる追従性を向上させることができる。
【００３７】
ひいては、上記各種構成を採用した結果としてシール性の低下が抑制される。
【００３８】
また、本実施形態のようにベンディングタイプのドアウエザストリップ５の場合、ドア３閉時において、車外側すなわち上記ブロック部１５が設けられた側とは反対側のシール部１３と基底部１１との接続部位２５に対しては、車内側の接続部位２６より大きな負荷がかかる。そのため、上記実施形態のように車外側のシール部１３と基底部１１との接続部位２５近傍において両面接着テープ２０を貼り付けることにより、ドア３閉時にかかる負荷に起因するズレ応力に抗して、ドアウエザストリップ５の位置ズレをより確実に防止することができる。
【００３９】
また、基底部１１の車外側端部に延出部２７を設けることによって、ドアウエザストリップ５の取付時に専用の位置決め治具を用いて押え得る範囲が広がるため、作業性の向上を図ることができる。さらには、スポンジゴムよりなる延出部２７は、ドア３周縁に当接した際、ドア３周縁の形状に合わせて変形しやすいため、基底部１１とドア３周縁との間に隙間を生じにくくさせ、走行時の風切り音の発生等を防止することができる。
【００４０】
なお、ドア３閉時にはシール部１３の付根部（接続部位２５）に負荷がかかるため、シール部１３の付け根の剛性を高める必要がある。このため、基底部１１をスポンジゴムだけで形成する場合にはその厚みを厚肉にして剛性を高める等の対策をとらなければならない。その点、本実施形態ではソリッドゴム層１６を設けて剛性を高めているため、基底部１１の厚みを最小限に抑えることができ、厚肉化を防止できる。
【００４１】
尚、上記実施の形態の記載内容に限定されず、例えば次のように実施してもよい。勿論、以下において例示しない他の応用例、変更例も当然可能である。
【００４２】
（ａ）上記実施形態では、フロントドア３用のドアウエザストリップ５について具体化したが、取付けられるドアの部位は何ら限定されるものではなく、例えばリアドアに取着されるドアウエザストリップにも適用することもできる。
【００４３】
（ｂ）上記実施形態では、ドアウエザストリップ５の素材（弾性材料）としてＥＰＤＭゴムを採用しているが、その外にもスチレンブタジエンゴム、ブタジエンゴム、クロロプレンゴム、ブチルゴム、ニトリルゴム、エチレンプロピレン共重合ゴム、アクリルゴム等の各種ゴム材料、又は、オレフィン系熱可塑性エラストマー（ＴＰＯ）或いは軟質のポリ塩化ビニル等のゴム状弾性を有する他の弾性材料により構成してもよい。
【００４４】
（ｃ）上記実施形態では、ブロック部１５が車内側に設けられているが、これに限らず、車外側に設けても良い。この場合、ドアウエザストリップ５の取付時において、ブロック部の形成された車外側方向へ両面接着テープ２０の離型紙を引っ張って剥がしていくことが好ましい。
【００４５】
（ｄ）上記実施形態において、ソリッドゴム層１６は、ブロック部１５から、シール部１３のシール壁部１３ａと基底部１１との車外側の接続部位Ｐ１より車外側の位置Ｐ２までの範囲に連続して形成されている。一方、仮にソリッドゴム層１６を基底部１１の車外側端部まで延設した場合には、ドア３周縁コーナー部等におけるドアウエザストリップ５の追従性が低下し、シール性が悪化するおそれがあるため、ソリッドゴム層１６の車外側端部を基底部１１の車外側端部より車内側に位置させることが好ましい。
【００４６】
（ｅ）ドアウエザストリップ５全域を両面接着テープ２０により固定する構成としてもよいし、一部をクリップ等の締結手段を用いて固定する構成を採用してもよい。
【図面の簡単な説明】
【００４７】
【図１】自動車を示す斜視図である。
【図２】一実施形態におけるドアウエザストリップを示す正面図である。
【図３】ドアウエザストリップを示す図１のＪ−Ｊ線断面図である。
【図４】ドア閉時におけるドアウエザストリップを示す断面図である。
【符号の説明】
【００４８】
１…自動車、２…ドア開口、３…ドア、５…ドアウエザストリップ、７，８…押出成形部、９，１０…型成形部、１１…基底部、１３…シール部、１３ａ…シール壁部、１５…ブロック部、１６…ソリッドゴム層、１７…スポンジゴム層、２０…両面接着テープ、２１…テープ収容溝。
【図１】
0004717626.tif 000002
【図２】
0004717626.tif 000003
【図３】
0004717626.tif 000004
【図４】
0004717626.tif 000005